(57)【特許請求の範囲】
【請求項１】
マイクロホンを保持する保持部と、前記保持部と連結され、ドラムのリムを固定するためのテンションボルトに取り付けられる取付部とを備え、
前記取付部は、前記リムの下面側に係止する板部材と、前記板部材に形成され、前記テンションボルトの軸部に係止する係止溝とを有する第１クリップ部材と、
前記第１クリップ部材の上方に配置され、前記テンションボルトの頭部側が挿入されて係止する挿入孔を有する第２クリップ部材と、
前記第１クリップ部材と第２クリップ部材とがそれぞれ先端部に形成され対向配置された一対の狭持部材が、該一対の狭持部材の間に設けられた支軸を中心に回動可能とされ、前記第１クリップ部材と第２クリップ部材とが互いに近接する方向に付勢されたクリップ機構部とを有することを特徴とするマイクロホンホルダ。
【請求項２】
前記第１クリップ部材が有する前記係止溝は、前記板部材の一側面側から形成された切り欠きであることを特徴とする請求項１に記載されたマイクロホンホルダ。
【請求項３】
前記第１クリップ部の板部材の左右両側に設けられ、前記ドラム側に当接して支持する一対の支持脚部を有することを特徴とする請求項１または請求項２に記載されたマイクロホンホルダ。
【請求項４】
前記一対の支持脚部は、前記第１クリップ部の板部材の左右両側から延設されたフランジにより形成されていることを特徴とする請求項３に記載されたマイクロホンホルダ。
【請求項５】
前記一対の支持脚部は、前記第１クリップ部材側から前記板部材の左右両側に延設された弾性を有する一対の棒部材と、前記棒部材の先端に設けられた一対の当接部材とを有することを特徴とする請求項３に記載されたマイクロホンホルダ。
【発明の詳細な説明】
【技術分野】
【０００１】
本発明は、マイクロホンホルダに関し、特にドラムセットの集音において、例えばタム（トムトムとも言う）やスネアドラムの周縁にマイクロホンを取り付けることのできるドラム用のマイクロホンホルダに関する。
【背景技術】
【０００２】
例えば、スタジオやライブ会場においてドラムセットの収音を行う場合、各ドラム等に対し収音のためのマイクロホンがセットされる。このとき、マイクロホンはドラムのヘッド（打面）に極めて近接した状態で配置される。
マイクロホンを設置する方法の１つに、マイクロホンスタンドを用いる方法がある。しかしながら、このマイクロホンスタンドを用いる場合、ドラムセット周辺にはケーブルやアンプ、照明器具等が散財するため、マイクロホンスタンドの設置も制限されることになる。このため、従来から、ドラムの縁部に設けられた金属製のリング状のリムにマイクロホンホルダを取り付け、このマイクロホンホルダにマイクロホンを保持させる方法が多く採られている。
【０００３】
例えば、図１５、図１６に示すように従来のマイクロホンホルダ４０は、クリップ構造の取付部４１、４２にマイクロホン３０を保持させ、タム２０の周縁部に設けられたリム２２に対し上下からばねの付勢力で挟み込んで取付部４１，４２をそれぞれ取り付ける構造が多く用いられている。
しかしながら、前記クリップ４１、４２により固定する構成にあっては、経年使用によりばねの付勢力が低下すると、把持力が低下し外れやすくなる。そのため、特許文献１に開示されるようにリムを上下から一対のフック部で挟み込んだ後、スライド自在な下方のフック部の位置を螺子で留めるマイクホルダも提案されている（特許文献１参照）。
【先行技術文献】
【特許文献】
【０００４】
【特許文献１】特開２００９−９４８５１号公報
【発明の概要】
【発明が解決しようとする課題】
【０００５】
ところで、前記ドラムのリムは、ドラムヘッドの周縁部をシェル（胴）の開口縁部に対して押さえ込むものであり、その押さえ込み量によってドラムヘッドの張り具合（強弱）が変化し、ドラムチューニングが行われる。
より具体的には、前記リムは、その周方向に沿った複数箇所がテンションボルトによりシェル側に対し螺子留められた状態となされ、テンションボルトを締め付けるほど、リムの押さえ込み量が大きくなり、ドラムヘッドの張りが強くなるように構成されている。このため通常、前記リムは、さらに押さえ込み可能な状態で固定（半固定状態）されている。
しかしながら、前記リムにクリップやフックによってマイクロホンホルダを取り付けた場合、そのマイクロホンホルダ及びマイクロホンの荷重がリムに対して局部的に加わり（ぶら下がった状態となり）、リムの押し込み方向の位置に変位が生じて、チューニングに不具合が生じる虞があった。
【０００６】
本発明は、前記した点に着目してなされたものであり、マイクロホンをドラムに取り付けるマイクロホンホルダにおいて、マイクロホンの荷重がリムの状態に影響することがなく、チューニング及び収音に不具合が生じることのないマイクロホンホルダを提供することを目的とする。
【課題を解決するための手段】
【０００７】
前記課題を解決するために本発明に係るマイクロホンホルダは、マイクロホンを保持する保持部と、前記保持部と連結され、ドラムのリムを固定するためのテンションボルトに取り付けられる取付部とを備え、前記取付部は、前記リムの下面側に係止する板部材と、前記板部材に形成され、前記テンションボルトの軸部に係止する係止溝とを有する第１クリップ部材と、前記第１クリップ部材の上方に配置され、前記テンションボルトの頭部側が挿入されて係止する挿入孔を有する第２クリップ部材と、前記第１クリップ部材と第２クリップ部材とがそれぞれ先端部に形成され対向配置された一対の狭持部材が、該一対の狭持部材の間に設けられた支軸を中心に回動可能とされ、前記第１クリップ部材と第２クリップ部材とが互いに近接する方向に付勢されたクリップ機構部とを有することに特徴を有する。
尚、前記第１クリップ部材が有する前記係止溝は、前記板部材の一側面側から形成された切り欠きであることが望ましい。
また、前記第１クリップ部の板部材の左右両側に設けられ、前記ドラム側に当接して支持する一対の支持脚部を有することが望ましい。
また、前記一対の支持脚部は、前記第１クリップ部の板部材の左右両側から延設されたフランジにより形成されていることが望ましい。或いは、前記一対の支持脚部は、前記第１クリップ部材側から前記板部材の左右両側に延設された弾性を有する一対の棒部材と、前記棒部材の先端に設けられた一対の当接部材とを有する構成であってもよい。
【０００８】
このように構成することにより、マイクロホンホルダは、ドラムヘッドの張設度合いを調整するテンションボルトに対し、第１クリップ部材と第２クリップ部材とにより固定される。
即ち、リムに対してマイクロホンの荷重がかからないため、ドラムヘッドの張設度合いに悪影響を及ぼすことがなく、ドラムのチューニングや収音を行うことができる。
【発明の効果】
【０００９】
マイクロホンをドラムに取り付けるマイクロホンホルダにおいて、マイクロホンを含めた荷重がドラムに影響することなく、チューニング及び収音に不具合が生じることのないマイクロホンホルダを得ることができる。
【図面の簡単な説明】
【００１０】
【図１】図１は、本発明のマイクロホンホルダを用いてマイクロホンをタムに取り付けた状態を示す斜視図である。
【図２】図２は、本発明のマイクロホンホルダの一部側断面を示す側面図である。
【図３】図３は、本発明のマイクロホンホルダの斜視図である。
【図４】図４は、本発明のマイクロホンホルダを図３とは異なる角度から見た斜視図である。
【図５】図５（ａ）、（ｂ）は、本発明のマイクロホンホルダの変形例を示す斜視図である。
【図６】図６は、図５のマイクロホンホルダをタムに取り付けた状態を示す斜視図である。
【図７】図７（ａ）、（ｂ）は、本発明のマイクロホンホルダの他の変形例を示す斜視図である。
【図８】図８は、図７のマイクロホンホルダをテンションボルトに取り付けた部分の拡大図である。
【図９】図９（ａ）、（ｂ）は、本発明のマイクロホンホルダの他の変形例を示す斜視図である。
【図１０】図１０は、図９のマイクロホンホルダをタムに取り付けた状態を示す斜視図である。
【図１１】図１１（ａ）、（ｂ）、（ｃ）は、それぞれ本発明のマイクロホンホルダの他の変形例を示す側面図、配面図、および平面図である。
【図１２】図１２（ａ）、（ｂ）は、それぞれ、図１１のマイクロホンホルダをタムに取り付けた状態の側面図、および斜視図である。
【図１３】図１３は、図１１のマイクロホンホルダを管楽器のホーン開口部に取り付けた状態を示す側面図（一部断面図）である。
【図１４】図１４は、図１１のマイクロホンホルダを管楽器のホーン開口部に取り付けた状態を示す斜視図である。
【図１５】図１５は、従来のマイクロホンホルダをタムに取り付けた状態を示す側面図（一部断面図）である。
【図１６】図１６は、従来のマイクロホンホルダをタムに取り付けた状態を示す側面図（一部断面図）である。
【発明を実施するための形態】
【００１１】
以下、本発明の実施の形態を図面に基づき説明する。図１乃至図４は、本発明に係るマイクロホンホルダの一実施形態を示している。図１は、本発明に係るマイクロホンホダをタム（トムトム）に取り付けた状態を示す斜視図である。図２は、本発明のマイクロホンをタムに取り付けた状態の断面図である。また、図３は、本発明に係るマイクロホンホルダを前方から見た斜視図であり、図４は、後方から見た斜視図である。尚、図１乃至図４のいずれも、マイクロホンを保持した状態を示している。
【００１２】
図１に示すように、タム２０においては、ドラムヘッド２１の周縁に金属製のリング状のリム２２が設けられ、このリム２２は、その周方向に沿って複数設けられた支持部２３において、テンションボルト２５によってドラムシェル２４（以下、シェルとも呼ぶ）側に留められている。詳しくは、複数のテンションボルト２５がシェル２４の外周面に設けられた複数のラグ２６にそれぞれ螺入され、その締め付け具合によりリム２２のシェル２４に対する押し込み量が設定される。図２に示すようにドラムヘッド２１の周縁部には、リング状のヘッド周縁部材２７が設けられ、このヘッド周縁部材２７の上面がリム２２に押さえ込まれることによってドラムヘッド２１の張り具合が調整（チューニング）されるようになっている。
【００１３】
マイクロホンホルダ１は、前記複数のテンションボルト２５のうち、１本のテンションボルト２５に取り付けられる。テンションボルト２５は、周面の所定領域が螺子切りされた直棒状の部材であって、頭部にボルトヘッド２５ａが設けられている。このテンションボルト２５は、図２に示すようにリム２２の外周部において径外方向に突起する前記支持部２３の貫通孔２３ａに上から下方に向けて挿通され、前記ボルトヘッド２５ａの下面側が前記貫通孔２３ａの周縁部に対しナット２８を介して軸周りに回転可能に係合している。そのため、このボルトヘッド２５ａは支持部２３の上方に突出した状態で配置されている。
【００１４】
また、前記テンションボルト２５の先端は、前記したようにシェル２４の外周側面に設けられたラグ２６に螺入されるようになっている。ボルトヘッド２５ａを回してテンションボルト２５の先端側をラグ２６に螺入することにより、前記支持部２３が下方に押圧される。即ちリム２２が下方に押圧されて、ドラムヘッド２１の張りが強くなるようになっている。
【００１５】
図２、図３に示すように、マイクロホンホルダ１は、大きくはドラムへの取付部２Ａと、マイクロホン３０を保持する保持部２Ｂとで構成される。
前記取付部２Ａは、例えば平面視矩形状の板部材４を基体とする第１クリップ部材３を有する。この第１クリップ部材３は、上面（当接面部）が例えばラバーコーティングにより滑り止め加工処理された前記板部材４と、その一側面側から板中央部分までＵ字溝状に形成された切り欠き状の係止溝４ａとを有している。この係止溝４ａの幅は、直棒状のテンションボルト２５の軸部を挟み込み可能な大きさに形成されている。
【００１６】
また、取付部２Ａは、前記第１クリップ部材３の上方位置に第２クリップ部材６を有している。この第２クリップ部材６は、基体となる板部材５に、テンションボルト２５の頭部のボルトヘッド２５ａが下側から挿入される挿入孔５ａが形成されてなる。
図３、図４に示すように、前記第１クリップ部材３と前記第２クリップ部材６とは、それぞれ長板状の一対の狭持部材７，８の先端部に形成されている。前記狭持部材７の中央部付近には、その左右両端から一対の支軸部７ａが立設され、前記狭持部材８の中央部付近には、その左右両端から一対の支軸部８ａが立設されている。前記一対の支軸部７ａ、８ａは互いに対向すると共に、一対の支軸部８ａの内側に一対の支軸部７ａが重なるように配置されている。また、前記一対の支軸部７ａ、８ａには、軸孔７ａ１、８ａ１が同軸上に設けられ、この軸孔７ａ１，８ａ１に軸棒３５が挿通されることにより、狭持部材７，８は互いに向かい合った状態で前記軸棒３５を支軸として回転自在に連結されている。
【００１７】
また、図２に示すように前記一対の狭持部材７、８の間には、コイルばね３６が配置され、その筒状のコイル部分３６ａに前記軸棒３５が配置され、コイルばね３６の棒状に延出された一端部３６ｂと他端部３６ｃとがそれぞれ狭持部材７，８の裏面に当接している。
また、一対の狭持部材７、８において、前記支軸部７ａ、８ａを挟んで前記第１クリップ部材３及び第２クリップ部材６が設けられない側は、前記コイルばね３６により互いに離間する方向に付勢された一対の把持部７ｂ、８ｂが形成されている。この一対の把持部７ｂ、８ｂを指で摘むことにより、前記軸棒３５を支軸として前記第１クリップ部材３と第２クリップ部材６とが互いに離間する方向に動く。また、指で掴んだ状態の把持部７ｂ、８ｂから指を離すことにより、前記コイルばね３６の付勢力により再び第１クリップ部材３と第２クリップ部材６とが接近する方向に動くようになっている。
【００１８】
また、取付部２Ａの側部には、保持部２Ｂとして、マイクロホン３０を支持するための支持部１５が設けられている。
ここで、保持されるマイクロホン３０は、例えばマイクロホン本体３０ａ及びケーブル３０ｂとこれらを支持するフレキシブル棒３１とを有する。前記支持部１５は有底筒状に形成され、ここにフレキシブル棒３１の例えば下端部分が嵌合され、マイクロホンホルダ１にマイクロホン３０が保持されるようになっている。
【００１９】
このように構成されたマイクロホンホルダ１を例えばタム２０にセットし、マイクロホン３０を取り付ける場合、一対の把持部７ｂ、８ｂを指で摘み、前記軸棒３５を支軸として前記第１クリップ部材３と第２クリップ部材６との離間距離を広げた状態とする。
次に、その状態で、第１クリップ部材３の係止溝４ａを、リム２２の支持部２３の下方側に位置するテンションボルト２５の軸部に係合させる（係止溝４ａでテンションボルト２５の軸部を挟み込む）。
【００２０】
さらに、この状態から、第２クリップ部材６の挿入孔５ａをボルトヘッド２５ａの上方に移動し、一対の把持部７ｂ、８ｂを押さえていた指を外すことによって、第１クリップ部材３に対し第２クリップ部材６を近接方向に移動させる。
これにより図１、図２に示すようにテンションボルト２５のボルトヘッド２５ａが挿入孔５ａの下側から挿入されるとともに、第1クリップ部材３の係止溝４ａがテンションボルト２５の軸部を挟んだ状態で、第１クリップ部材３の板部材４の上面がリム２２の支持部２３下面に当接し、第１クリップ部材３と第２クリップ部材６とが、リム２２とボルトヘッド２５ａを狭持する。これにより、マイクロホンホルダ１がテンションボルト２５に固定される。
このようにしてマイクロホンホルダ１がテンションボルト２５に固定されると、ホルダ１５にフレキシブル棒３１を嵌めて固定し、マイクロホンホルダ１によりマイクロホン３０を保持する。
【００２１】
このように本発明に係るマイクロホンホルダの実施形態によれば、マイクロホンホルダ１は、ドラムヘッド２１の張設度合いを調整するテンションボルト２５に対し、第１クリップ部材３と第２クリップ部材６とにより固定される。
即ち、リムに対してマイクロホンの荷重がかからないため、ドラムヘッドの張設度合いに悪影響を及ぼすことがなく、ドラムのチューニングや収音を行うことができる。
【００２２】
尚、前記実施の形態においては、テンションボルト２５及び支持部に対してマイクロホンホルダ１が係合する構成とし、これによりマイクロホンホルダ１がタムに取り付けられる構成としたが、取り付け後に、マイクロホンホルダ１がテンションボルト２５の軸周りに回転する虞がある。
そのため、図５（ａ）、図５（ｂ）の斜視図に示すように、第１クリップ部材３の板部材４の左右両側からリム側に向けて延びるフランジ状の支持脚部１６を対にして設け、図６に示すように、それらの先端側がリム２２及びシェル２４に当接するように構成するのが好ましい。このように構成することでマイクロホンホルダ１をより安定した状態で取り付けることができ、テンションボルト２５の軸周りに回転することを防止することができる。
【００２３】
また、そのように第１クリップ部材３に支持脚部１６を設ける場合、支持脚部１６によってドラムに対して左右方向に幅を有するため、図７（ａ）、図７（ｂ）に示すように係止溝４ａを鈎状に形成してもよい。
そのように構成することにより、図８に示すようにマイクロホンホルダ１がテンションボルト２５から外れにくいロック状態とすることができる。
【００２４】
或いは、図９（ａ）、図９（ｂ）の斜視図に示すように、（前記支持脚部１６ではなく）棒状の長い脚部１７ａ、１７ｂ（棒部材）を有するコイルばね１７を用いた支持脚部１８を備えてもよい。この支持脚部１８は、前記コイルばね１７のコイル部分（図示せず）を例えば第２クリップ部材６側に配置し、前記棒状に長い脚部１７ａ、１７ｂの先端にリムへの当接部材１８ａ、１８ｂを設け、この当接部材１８ａ、１８ｂを第１，第２クリップ部材３，６の左右にそれぞれ配置している。
このようにすれば、図１０に示すようにマイクロホンホルダ１をタムに取り付けると、前記当接部材１８ａ，１８ｂが、コイルばね１７の弾性力により付勢された状態でリムに当接する。このため、タム２０からマイクロホンホルダ１（マイクロホン３０）に伝わる振動を吸収することができる。
【００２５】
また、前記実施の形態においては、タム２０（トムトム）に対しマイクロホンホルダ１を取り付ける例を示したが、スネアドラムにも好適に用いることができる。更には、リムとテンションボルトとを有すれば、他のタイプのドラムに対しても好適に用いることができる。
【００２６】
また、本発明に係るマイクロホンホルダ１にあっては、狭持部材７，８の形状によっては、ドラム以外の楽器にも取り付けることが可能である。
例えば、図１１（ａ）〜（ｃ）に示すように、狭持部材７，８において、第１クリップ部材３及び第２クリップ部材６と支軸部との間の形状に図示するような段差部７ｃ、８ｃを持たせてもよい。
この場合、図１２（ａ）、（ｂ）に示すようにドラムのリム部分に取り付けることが可能な他に、図１３、図１４に示すように前記段差部分を利用して、例えば管楽器７０のホーン開口縁部７０ａを挟み込み、複数の支点で安定した状態で取り付けることができる。
【符号の説明】
【００２７】
１            マイクロホンホルダ
２Ａ          取付部
２Ｂ          保持部
３            第１クリップ部材
４            板部材
４ａ          係止溝
５ａ          挿入孔
６            第２クリップ部材
７            狭持部材
７ａ          支持部
７ｂ          把持部
７ｃ          段差部
８            狭持部材
８ａ          支持部
８ｂ          把持部
８ｃ          段差部
２０          タム
２１          ドラムヘッド
２２          リム
２４          ドラムシェル
２５          テンションボルト
２５ａ        ボルトヘッド
３０          マイクロホン
３０ａ        マイクロホン本体
３０ｂ        コード
３５          軸棒（支軸）
３６          コイルばね
【図１】
0006347550.tif 000002
【図２】
0006347550.tif 000003
【図３】
0006347550.tif 000004
【図４】
0006347550.tif 000005
【図５】
0006347550.tif 000006
【図６】
0006347550.tif 000007
【図７】
0006347550.tif 000008
【図８】
0006347550.tif 000009
【図９】
0006347550.tif 000010
【図１０】
0006347550.tif 000011
【図１１】
0006347550.tif 000012
【図１２】
0006347550.tif 000013
【図１３】
0006347550.tif 000014
【図１４】
0006347550.tif 000015
【図１５】
0006347550.tif 000016
【図１６】
0006347550.tif 000017